(57)【要約】【課題】端子部などのモータ内部の部品が被水することを抑制できるようにすることが目的である。【解決手段】ロータシャフト３８とステータ１６とを保持するセンターピース２０の本体部４０には、端子ケース２４が組み付けられている。この本体部４０及び端子ケース２４は、端子部５８を収容する空間部５６を形成している。センターピース２０の本体部４０からは、端子ケース２４側に向けて第一ラビリンス壁６２が立設されており、端子ケース２４からは、本体部４０側に向けて第二ラビリンス壁６４が立設されている。第二ラビリンス壁６４は、第一ラビリンス壁６２の内側に位置しており、この第一ラビリンス壁６２及び第二ラビリンス壁６４は、端子部５８を囲うラビリンス構造７０を空間部５６の内側に形成している。【選択図】図１
2015050817.tif 000002
【特許請求の範囲】
【請求項１】
ステータと、
前記ステータによって形成される回転磁界により回転するロータと、
前記ロータを支持するロータシャフトと前記ステータとを保持するモータホルダと、
前記ステータから導出された巻線端末部と接続された端子部を有する駆動回路部と、
前記モータホルダに組み付けられ、前記端子部を収容する空間部を前記モータホルダと共に形成する端子ケースと、
前記モータホルダ及び前記端子ケースの一方から他方側に向けて立設された第一ラビリンス壁と、
前記モータホルダ及び前記端子ケースの他方から一方側に向けて立設されると共に、前記第一ラビリンス壁の内側に位置し、且つ、前記端子部を囲うラビリンス構造を前記第一ラビリンス壁と共に前記空間部の内側に形成する第二ラビリンス壁と、
を備えたブラシレスモータ。
【請求項２】
前記第一ラビリンス壁と前記第二ラビリンス壁とは、互いに近接されている、
請求項１に記載のブラシレスモータ。
【請求項３】
前記第一ラビリンス壁と前記第二ラビリンス壁との間隙は、前記第一ラビリンス壁と前記第二ラビリンス壁との間に浸入した水滴が前記第一ラビリンス壁及び前記第二ラビリンス壁に接触し得る寸法に設定されている、
請求項２に記載のブラシレスモータ。
【請求項４】
前記第一ラビリンス壁と前記第二ラビリンス壁との間隙は、１ｍｍ〜３ｍｍの範囲に設定されている、
請求項３に記載のブラシレスモータ。
【請求項５】
前記第一ラビリンス壁と前記第二ラビリンス壁とは、互いに平行に形成されている、
請求項２〜請求項４のいずれか一項に記載のブラシレスモータ。
【請求項６】
前記第一ラビリンス壁及び前記第二ラビリンス壁は、前記ステータの周方向に沿って形成されている、
請求項２〜請求項５のいずれか一項に記載のブラシレスモータ。
【請求項７】
前記モータホルダにおける前記第一ラビリンス壁の外側には、前記空間部と外部とを連通する水抜き孔が形成されている、
請求項１〜請求項６のいずれか一項に記載のブラシレスモータ。
【請求項８】
前記水抜き孔は、前記第一ラビリンス壁を囲うように少なくとも前記ロータシャフトを中心とする１８０度以上の範囲に複数形成されている、
請求項７に記載のブラシレスモータ。
【請求項９】
請求項８に記載のブラシレスモータと、
前記モータホルダに装着されたシュラウドと、
を備え、
複数の前記水抜き孔のうち、前記ブラシレスモータの設置対象への取付状態において鉛直方向下側に位置される水抜き孔は、前記シュラウドに形成された開放部により開放され、
複数の前記水抜き孔のうち残余の水抜き孔は、前記シュラウドに形成された閉塞部によって閉塞されている、
ブラシレスモータ装置。
【請求項１０】
請求項９に記載のブラシレスモータ装置を前記設置対象に設置するためのブラシレスモータ装置の設置方法であって、
前記ブラシレスモータに対し、前記ブラシレスモータの搭載角度が異なる複数の前記シュラウドを用意し、
複数の前記シュラウドのうち一のシュラウドを選択し、該選択した一のシュラウドを用いて前記ブラシレスモータを前記設置対象に取り付ける、
ブラシレスモータ装置の設置方法。
【発明の詳細な説明】
【技術分野】
【０００１】
本発明は、ブラシレスモータ、ブラシレスモータ装置、及び、ブラシレスモータ装置の設置方法に関する。
【背景技術】
【０００２】
従来、ステータと、ステータによって形成される回転磁界により回転するロータと、ロータを支持するロータシャフトとステータとを保持するモータホルダと、を備えたブラシレスモータがある。また、この種のブラシレスモータのなかには、ステータから導出された巻線端末部と接続された端子部を有する駆動回路部と、モータホルダに組み付けられ、端子部を収容する空間部をモータホルダと共に形成する端子ケースと、を備えたものがある（例えば、特許文献１参照）。
【先行技術文献】
【特許文献】
【０００３】
【特許文献１】特開２０１２−９５４０２号公報
【発明の概要】
【発明が解決しようとする課題】
【０００４】
このようなブラシレスモータでは、端子部などのモータ内部の部品が被水することを抑制できることが要求される。
【０００５】
そこで、本発明は、端子部などのモータ内部の部品が被水することを抑制できるようにすることを目的とする。
【課題を解決するための手段】
【０００６】
上記目的を達成するために、請求項１に記載のブラシレスモータは、ステータと、前記ステータによって形成される回転磁界により回転するロータと、前記ロータを支持するロータシャフトと前記ステータとを保持するモータホルダと、前記ステータから導出された巻線端末部と接続された端子部を有する駆動回路部と、前記モータホルダに組み付けられ、前記端子部を収容する空間部を前記モータホルダと共に形成する端子ケースと、前記モータホルダ及び前記端子ケースの一方から他方側に向けて立設された第一ラビリンス壁と、前記モータホルダ及び前記端子ケースの他方から一方側に向けて立設されると共に、前記第一ラビリンス壁の内側に位置し、且つ、前記端子部を囲うラビリンス構造を前記第一ラビリンス壁と共に前記空間部の内側に形成する第二ラビリンス壁と、を備えている。
【０００７】
このブラシレスモータによれば、空間部の内側には、モータホルダ及び端子ケースの各々から立設された第一ラビリンス壁及び第二ラビリンス壁によって、端子部を囲うラビリンス構造が形成されている。従って、例えば、モータホルダと端子ケースとの間から空間部の内側に水滴が浸入した場合でも、この水滴により端子部などのモータ内部の部品が被水することをラビリンス構造により抑制することができる。
【０００８】
請求項２に記載のブラシレスモータは、請求項１に記載のブラシレスモータにおいて、前記第一ラビリンス壁と前記第二ラビリンス壁とが互いに近接されたものである。
【０００９】
このブラシレスモータによれば、第一ラビリンス壁と第二ラビリンス壁とが互いに近接されている。従って、仮に第一ラビリンス壁と第一ラビリンス壁との間に水滴が浸入しても、この水滴が第一ラビリンス壁及び第二ラビリンス壁の両壁に接触した状態で、水滴がその表面張力により第一ラビリンス壁及び第二ラビリンス壁の間を流れる。これにより、水滴が内側の第二ラビリンス壁を乗り越えることを抑制することができる。
【００１０】
なお、請求項３に記載のように、上述の互いに近接された第一ラビリンス壁と第二ラビリンス壁との間隙は、上述の如く第一ラビリンス壁と第二ラビリンス壁との間に浸入した水滴が第一ラビリンス壁及び第二ラビリンス壁に接触し得る寸法に設定されていると好適である。
【００１１】
また、請求項４に記載のように、この場合の第一ラビリンス壁と第二ラビリンス壁との間隙は、より具体的には、１ｍｍ〜３ｍｍの範囲に設定されていると、第一ラビリンス壁と第二ラビリンス壁との間に浸入した水滴が第一ラビリンス壁及び第二ラビリンス壁に接触するので好適である。
【００１２】
請求項５に記載のブラシレスモータは、請求項２〜請求項４のいずれか一項に記載のブラシレスモータにおいて、前記第一ラビリンス壁と前記第二ラビリンス壁とが互いに平行に形成されたものである。
【００１３】
このブラシレスモータによれば、第一ラビリンス壁と第二ラビリンス壁とは、互いに平行に形成されている。従って、上述の互いに近接された第一ラビリンス壁と第二ラビリンス壁との間隙の寸法が一定とされるので、第一ラビリンス壁と第二ラビリンス壁との間に浸入した水滴をその表面張力により第一ラビリンス壁及び第二ラビリンス壁に沿って円滑に流すことができる。
【００１４】
請求項６に記載のブラシレスモータは、請求項２〜請求項５のいずれか一項に記載のブラシレスモータにおいて、前記第一ラビリンス壁及び前記第二ラビリンス壁が前記ステータの周方向に沿って形成されたものである。
【００１５】
このブラシレスモータによれば、第一ラビリンス壁及び第二ラビリンス壁は、ステータの周方向に沿って形成されている。従って、中心軸が水平方向に延びる状態で設置対象に取り付けられたブラシレスモータについて、その中心軸を中心として搭載角度が変更された場合でも、第一ラビリンス壁と第二ラビリンス壁との間に浸入した水滴を第一ラビリンス壁及び第二ラビリンス壁に沿って鉛直方向下側に流すことができる。
【００１６】
請求項７に記載のブラシレスモータは、請求項１〜請求項６のいずれか一項に記載のブラシレスモータにおいて、前記モータホルダにおける前記第一ラビリンス壁の外側に前記空間部と外部とを連通する水抜き孔が形成されたものである。
【００１７】
このブラシレスモータによれば、モータホルダにおける第一ラビリンス壁の外側には、水抜き孔が形成されており、モータホルダ及び端子ケースによって形成される空間部は、この水抜き孔を通じて外部と連通されている。従って、モータホルダ及び端子ケースによって形成される空間部に浸入したが、ラビリンス構造によりモータ内部への浸入が阻止された水滴を、水抜き孔を通じて外部に排出することができる。
【００１８】
請求項８に記載のブラシレスモータは、請求項７に記載のブラシレスモータにおいて、前記水抜き孔が前記第一ラビリンス壁を囲うように少なくとも前記ロータシャフトを中心とする１８０度以上の範囲に複数形成されたものである。
【００１９】
このブラシレスモータによれば、水抜き孔は、第一ラビリンス壁を囲うように少なくともロータシャフトを中心とする１８０度以上の範囲に複数形成されている。従って、中心軸が水平方向に延びる状態で設置対象に取り付けられたブラシレスモータについて、その中心軸を中心として搭載角度が変更された場合（複数の水抜き孔のいずれかが常に鉛直方向下側に位置される範囲で搭載角度が変更された場合）でも、複数の水抜き孔のうち鉛直方向下側に位置する水抜き孔を通じて水滴を外部に排出することができる。
【００２０】
請求項９に記載のブラシレスモータ装置は、請求項８に記載のブラシレスモータと、前記モータホルダに装着されたシュラウドと、を備え、複数の前記水抜き孔のうち、前記ブラシレスモータの設置対象への取付状態において鉛直方向下側に位置される水抜き孔が前記シュラウドに形成された開放部により開放され、複数の前記水抜き孔のうち残余の水抜き孔が前記シュラウドに形成された閉塞部によって閉塞されたものである。
【００２１】
このブラシレスモータ装置によれば、複数の前記水抜き孔のうち、ブラシレスモータの設置対象への取付状態において鉛直方向下側に位置される水抜き孔は、シュラウドに形成された開放部により開放されている。従って、この水抜き孔を通じて水滴を外部に排出することができる。一方、複数の水抜き孔のうち残余の水抜き孔は、シュラウドに形成された閉塞部によって閉塞されている。従って、この水抜き孔を通じて水滴が浸入することを抑制することができる。
【００２２】
請求項１０に記載のブラシレスモータ装置の設置方法は、請求項９に記載のブラシレスモータ装置を前記設置対象に設置するためのブラシレスモータ装置の設置方法であって、前記ブラシレスモータに対し、前記ブラシレスモータの搭載角度が異なる複数の前記シュラウドを用意し、複数の前記シュラウドのうち一のシュラウドを選択し、該選択した一のシュラウドを用いて前記ブラシレスモータを前記設置対象に取り付ける方法である。
【００２３】
このブラシレスモータ装置の設置方法によれば、複数のシュラウドを用意するので、ブラシレスモータの搭載角度を変更する場合でも、ブラシレスモータ自体の構造の変更が不要である。これにより、コストアップを抑制することができる。
【図面の簡単な説明】
【００２４】
【図１】ブラシレスモータの正面図である。
【図２】ブラシレスモータの斜視図である。
【図３】ブラシレスモータの縦断面図である。
【図４】図３に示されるブラシレスモータの上部の要部拡大図である。
【図５】ブラシレスモータを背面側から見た断面図である。
【図６】端子ケースを取り外した状態でのブラシレスモータの斜視図である。
【図７】端子ケースの斜視図である。
【図８】ブラシレスモータを９０度回転させた位置でシュラウドに搭載したブラシレスモータ装置の要部拡大背面図である。
【図９】図８のＦ９−Ｆ９線断面図である。
【図１０】図８のＦ１０−Ｆ１０線断面図である。
【図１１】ブラシレスモータを正位置でシュラウドに搭載したブラシレスモータ装置の要部拡大背面図である。
【図１２】図１１のＦ１２−Ｆ１２線断面図である。
【図１３】ブラシレスモータを正位置で搭載するシュラウドの背面図である。
【図１４】ブラシレスモータを９０度回転させた位置で搭載するシュラウドの背面図である。
【図１５】ブラシレスモータを６０度回転させた位置で搭載するシュラウドの背面図である。
【図１６】図９に示されるブラシレスモータ装置の下部の要部拡大図である。
【図１７】図９に示されるブラシレスモータ装置の上部の要部拡大図である。
【発明を実施するための形態】
【００２５】
以下、図面に基づき、本発明の一実施形態について説明する。
【００２６】
図１，図２に示されるように、本発明の一実施形態に係るブラシレスモータ１０は、モータ部１２と、駆動回路部１４とを有している。このモータ部１２及び駆動回路部１４は、モータ部１２の軸方向と直交する方向に並んでいる。
【００２７】
図３に示されるように、モータ部１２は、ステータ１６と、ロータ１８と、モータホルダの一例であるセンターピース２０と、蓋部材２２と、端子ケース２４とを備えている。ステータ１６は、環状に形成されたコア２６と、このコア２６に放射状に形成された複数のティースに巻回された複数の巻線２８とを有している。
【００２８】
ロータ１８は、有底筒状のロータハウジング３０と、このロータハウジング３０の内周面に固着されたロータマグネット３２とを有している。ロータハウジング３０の内側には、ステータ１６が収容されており、ロータマグネット３２は、ステータ１６と径方向に対向している。
【００２９】
ロータハウジング３０の中心部には、軸方向視にて円形状を成す凹型の軸受収容部３４が形成されており、この軸受収容部３４の内側には、ボールベアリングからなる一対の軸受３６が収容されている。各軸受３６の内輪には、ロータシャフト３８が圧入されており、各軸受３６の外輪は、軸受収容部３４の内側に圧入されている。そして、このようにして一対の軸受３６を介してロータシャフト３８及びロータ１８が組み付けられることにより、ロータ１８は、ロータシャフト３８に回転可能に支持されている。このロータ１８は、ステータ１６によって形成される回転磁界により回転する。
【００３０】
センターピース２０は、上述のロータハウジング３０の開口と対向して配置されたホルダ本体部の一例である本体部４０と、この本体部４０の中央部に形成された保持部４２とを有している。保持部４２には、本体部４０の中央部からロータハウジング３０の内側に向けて突出する筒状部４４と、筒状部４４とは反対側に突出する被圧入部４６が形成されている。筒状部４４は、軸受収容部３４の周囲に配置された状態でコア２６の内側に圧入されている。そして、このように筒状部４４がコア２６の内側に圧入されることにより、コア２６を有するステータ１６は、センターピース２０の保持部４２に保持されている。
【００３１】
また、被圧入部４６は、ロータ１８側に開口する凹状に形成されている。この被圧入部４６の内側には、ロータシャフト３８の一端が圧入されており、これにより、ロータシャフト３８は、センターピース２０の保持部４２に保持されている。
【００３２】
本体部４０は、概略円盤状に形成されており、ロータハウジング３０の外形よりも径方向外側に拡がっている。この本体部４０における巻線２８と対応する位置には、本体部４０の厚み方向（ステータ１６の軸方向と同じ）に貫通する複数の冷却孔４８が形成されている。また、保持部４２における筒状部４４と被圧入部４６との間にも、上述の冷却孔４８と同様の複数の冷却孔５０が形成されている。この複数の冷却孔４８，５０は、いずれもステータ１６の周方向に沿って環状に配列されている。
【００３３】
蓋部材２２は、扁平の皿状に形成されており、本体部４０に対するステータ１６側（ロータ１８側）と反対側に配置されている。この蓋部材２２は、本体部４０側を底側として配置されている。この蓋部材２２の底部５２は、本体部４０における保持部４２の周囲部に当接されており、この蓋部材２２の側壁部５４は、ロータシャフト３８の周方向に沿って形成されている（図５も参照）。この蓋部材２２の底部５２は、上述の複数の冷却孔４８よりも径方向内側に位置している。
【００３４】
端子ケース２４は、本体部４０に対するステータ１６側（ロータ１８側）と反対側から本体部４０に組み付けられている。この端子ケース２４は、本体部４０と略同様の外形形状を有して形成されており、この端子ケース２４の周縁部は、本体部４０の周縁部と接合されている。この端子ケース２４は、本体部４０と共に空間部５６を形成しており、この空間部５６の内側には、上述の蓋部材２２や、図５に示される複数の端子部５８等のモータ内部の部品が収容されている。
【００３５】
図５に示されるように、端子部５８は、上述の駆動回路部１４からモータ部１２の径方向に沿ってモータ部１２側に延出されており、この端子部５８の先端部には、ステータ１６から延びる巻線端末部６０が接続されている。巻線端末部６０は、上述のステータ１６に設けられた各巻線２８（以上、図３参照）からステータ１６の軸方向に延出されて本体部４０を貫通し、本体部４０に対するステータ１６側と反対側に導出されている。
【００３６】
続いて、上述のブラシレスモータ１０の特徴的な構成である防水構造について説明する。
【００３７】
図３に示されるように、センターピース２０の本体部４０には、端子ケース２４側に向けて立設された第一ラビリンス壁６２が形成されており、端子ケース２４には、本体部４０側に向けて立設された第二ラビリンス壁６４が形成されている（以下、図６，図７も適宜参照）。この第一ラビリンス壁６２及び第二ラビリンス壁６４は、いずれもステータ１６の軸方向を高さ方向として形成されている。
【００３８】
第一ラビリンス壁６２は、上述のロータハウジング３０の外周部６６よりも径方向外側で、且つ、本体部４０の周縁部に形成された周壁部６８よりも径方向内側に位置している。一方、第二ラビリンス壁６４は、第一ラビリンス壁６２の内側で、且つ、上述の本体部４０に形成された複数の冷却孔４８よりも径方向外側に位置している。
【００３９】
第一ラビリンス壁６２における高さ方向の端部は、端子ケース２４との間に隙間を有しており、第二ラビリンス壁６４における高さ方向の端部は、本体部４０との間に隙間を有している。そして、これにより、第一ラビリンス壁６２及び第二ラビリンス壁６４は、蛇行する水滴流路を形成するラビリンス構造７０を空間部５６の内側に形成している。
【００４０】
このラビリンス構造７０を形成する第一ラビリンス壁６２及び第二ラビリンス壁６４は、ステータ１６の周方向に沿って概略Ｃ字状に形成されている。つまり、図５に示されるように、第一ラビリンス壁６２及び第二ラビリンス壁６４の一端は、複数の端子部５８に対して複数の端子部５８が配列する方向の一方側に位置し、第一ラビリンス壁６２及び第二ラビリンス壁６４の他端は、複数の端子部５８に対して複数の端子部５８が配列する方向の他方側に位置している。そして、この第一ラビリンス壁６２及び第二ラビリンス壁６４によって形成された概略Ｃ字状を成すラビリンス構造７０は、空間部５６の内側において複数の端子部５８を囲っている。
【００４１】
また、この第一ラビリンス壁６２と第二ラビリンス壁６４とは、互いに平行に形成されており、且つ、互いに近接されている。この互いに近接された第一ラビリンス壁６２と第二ラビリンス壁６４との間隙は、後述するように、第一ラビリンス壁６２と第二ラビリンス壁６４との間に浸入した水滴が第一ラビリンス壁６２及び第二ラビリンス壁６４に接触し得る寸法に設定されている。
【００４２】
すなわち、本実施形態では、一例として、この第一ラビリンス壁６２と第二ラビリンス壁６４との間隙は、より具体的には、１ｍｍ〜３ｍｍの範囲に設定され、より好適には、間隙は２ｍｍに設定される。なお、間隙が１ｍｍ未満であると、水滴が間隙に入り込むことが困難となり、間隙が３ｍｍを超えると、表面張力を利用して第一ラビリンス壁６２及び第二ラビリンス壁６４に接触することが困難となる。
【００４３】
また、図５に示されるように、本体部４０における周壁部６８よりも内側で且つ第一ラビリンス壁６２の外側には、複数の水抜き孔７２が形成されている。この複数の水抜き孔７２は、本体部４０の厚み方向に貫通しており、空間部５６と外部とを連通している。
【００４４】
この複数の水抜き孔７２は、第一ラビリンス壁６２を囲うように少なくともロータシャフト３８を中心とする１８０度以上の範囲に形成されている。本実施形態では、一例として、複数の水抜き孔７２は、本体部４０の外周部のうち駆動回路部１４に沿う辺部を除く部分に並んで形成されている（図１も参照）。
【００４５】
続いて、上述のブラシレスモータ１０及びシュラウド８２を備えたブラシレスモータ装置８０について説明する。
【００４６】
図８，図９に示されるように、上述のブラシレスモータ１０は、シュラウド８２と共にブラシレスモータ装置８０を構成している。シュラウド８２は、ブラシレスモータ１０を例えば自動車の車体などの設置対象に固定するためのブラケットであり、概略円環状に形成されている。
【００４７】
本実施形態では、ブラシレスモータ１０の設置対象への搭載角度を変更するために、一例として、三種類のシュラウド８２が用いられる。すなわち、図１３に示されるシュラウド８２は、ブラシレスモータ１０を正位置（回転角度０度）で搭載するものであり、図１４に示されるシュラウド８２は、ブラシレスモータ１０を正位置に対して９０度回転させた位置で搭載するものであり、図１５に示されるシュラウド８２は、ブラシレスモータ１０を正位置に対して６０度回転させた位置で搭載するものである。なお、図１３〜図１５を含むいくつかの図において示される矢印ＵＰは、ブラシレスモータ装置８０の設置対象への設置状態における鉛直方向上側を示している。
【００４８】
この図１３〜図１５に示される各シュラウド８２における周方向の一部には、このシュラウド８２の径方向外側に開放する概略矩形状の切欠部８４が形成されている。この切欠部８４の形成位置は、図１３〜図１５に示される各シュラウド８２で異なっている。
【００４９】
つまり、図１３に示されるシュラウド８２において、切欠部８４は、シュラウド８２の設置対象への取付状態においてシュラウド８２の鉛直方向上側に位置する部分に形成されている。一方、図１４に示されるシュラウド８２において、切欠部８４は、シュラウド８２の設置対象への取付状態においてシュラウド８２の鉛直方向上側に位置する部分からシュラウド８２の周方向に９０度回転した位置に形成されている。また、図１５に示されるシュラウド８２において、切欠部８４は、シュラウド８２の設置対象への取付状態においてシュラウド８２の鉛直方向上側に位置する部分からシュラウド８２の周方向に６０度回転した位置に形成されている。
【００５０】
この図１３〜図１５に示される各シュラウド８２において、切欠部８４には、上述のブラシレスモータ１０の駆動回路部１４（図８参照）が配置される。そして、例えば、図１４に示されるシュラウド８２が用いられた場合には、図８に示されるように、ブラシレスモータ１０は、正位置に対して９０度回転された状態でシュラウド８２に搭載される。また、特に図示しないが、図１３に示されるシュラウド８２が用いられた場合には、ブラシレスモータ１０は、正位置に位置された状態でシュラウド８２に搭載され、図１５に示されるシュラウド８２が用いられた場合には、ブラシレスモータ１０は、正位置に対して６０度回転された状態でシュラウド８２に搭載される。
【００５１】
また、この各シュラウド８２には、例えば、図８，図９に示されるように、ブラシレスモータ１０に装着される装着部８６が形成されている。この装着部８６は、本体部４０の周方向に沿って円環状に形成されている。図９に示されるように、この装着部８６は、シュラウド８２がブラシレスモータ１０に組み付けられた状態において、本体部４０に対するロータ１８側で且つロータハウジング３０の径方向外側に位置される。そして、この装着部８６は、より具体的には、本体部４０の外周側の部分にロータ１８側から装着される。
【００５２】
また、図１３〜図１５に示されるシュラウド８２において、装着部８６には、水抜き孔７２（図８等参照）を開放するための開放部８８がそれぞれ形成されている。この開放部８８は、例えば切欠き又は穴等により形成されている。この開放部８８は、図１３〜図１５に示されるいずれのシュラウド８２においても、シュラウド８２の設置対象への取付状態において装着部８６の鉛直方向下側に位置する部分に形成されている。
【００５３】
そして、例えば、図１４に示されるシュラウド８２が用いられた場合には、図８，図９に示されるように、複数の水抜き孔７２のうち、ブラシレスモータ１０の設置対象への取付状態において鉛直方向下側に位置される水抜き孔７２が開放部８８により開放される。同様に、例えば、図１３に示されるシュラウド８２が用いられた場合にも、図１１，図１２に示されるように、複数の水抜き孔７２のうち、ブラシレスモータ１０の設置対象への取付状態において鉛直方向下側に位置される水抜き孔７２が開放部８８により開放される。また、図１５に示されるシュラウド８２が用いられた場合にも、特に図示しないが、鉛直方向下側の水抜き孔７２が開放部８８により開放される。
【００５４】
また、図１３〜図１５に示されるシュラウド８２において、装着部８６のうち開放部８８以外の部分は、水抜き孔７２（図８等参照）を閉塞するための閉塞部９０として形成されている。
【００５５】
そして、例えば、図１４に示されるシュラウド８２が用いられた場合には、図８，図９に示されるように、複数の水抜き孔７２のうち、開放部８８によって開放された水抜き孔７２以外の残余の水抜き孔７２が閉塞部９０により閉塞される。同様に、例えば、図１３に示されるシュラウド８２が用いられた場合にも、図１１に示されるように、開放部８８によって開放された水抜き孔７２以外の残余の水抜き孔７２が閉塞部９０により閉塞される。また、図１５に示されるシュラウド８２が用いられた場合にも、特に図示しないが、開放部８８によって開放された水抜き孔７２以外の残余の水抜き孔７２が閉塞部９０により閉塞される。
【００５６】
このように、本実施形態では、ブラシレスモータ１０の構造は変更されずに、１種類のブラシレスモータ１０に対し、ブラシレスモータ１０の搭載角度が異なる複数のシュラウド８２が用意される。そして、この複数のシュラウド８２のうち一のシュラウド８２が選択され、該選択された一のシュラウド８２を用いてブラシレスモータ１０が設置対象に取り付けられる。
【００５７】
次に、本発明の一実施形態の作用及び効果について説明する。
【００５８】
以上詳述したように、本実施形態によれば、空間部５６の内側には、センターピース２０の本体部４０及び端子ケース２４の各々から立設された第一ラビリンス壁６２及び第二ラビリンス壁６４によって、端子部５８を囲うラビリンス構造７０が形成されている。従って、例えば、図３〜図５に示される如く、本体部４０と端子ケース２４との間から空間部５６の内側に水滴Ｗが浸入した場合でも、この水滴Ｗにより端子部５８などのモータ内部の部品が被水することをラビリンス構造７０により抑制することができる。
【００５９】
特に、図４に示されるように、第一ラビリンス壁６２と第二ラビリンス壁６４とは、互いに近接されている。従って、仮に第一ラビリンス壁６２と第一ラビリンス壁６２との間に水滴Ｗが浸入しても、この水滴Ｗが第一ラビリンス壁６２及び第二ラビリンス壁６４の両壁に接触した状態で、水滴Ｗがその表面張力により第一ラビリンス壁６２及び第二ラビリンス壁６４の間を鉛直方向下側へ流れる。これにより、水滴Ｗが内側の第二ラビリンス壁６４を乗り越えることを抑制することができる。
【００６０】
しかも、第一ラビリンス壁６２と第二ラビリンス壁６４とは、互いに平行に形成されている。従って、上述の互いに近接された第一ラビリンス壁６２と第二ラビリンス壁６４との間隙の寸法が一定とされるので、第一ラビリンス壁６２と第二ラビリンス壁６４との間に浸入した水滴Ｗをその表面張力により第一ラビリンス壁６２及び第二ラビリンス壁６４に沿って鉛直方向下側へ円滑に流すことができる。
【００６１】
また、第一ラビリンス壁６２及び第二ラビリンス壁６４は、ステータ１６の周方向に沿って概略Ｃ字状に形成されている。従って、中心軸が水平方向に延びる状態で設置対象に取り付けられたブラシレスモータ１０について、その中心軸を中心として搭載角度が変更された場合（例えば、上述の９０度回転位置や６０度回転位置に変更された場合）でも、第一ラビリンス壁６２と第二ラビリンス壁６４との間に浸入した水滴Ｗを第一ラビリンス壁６２及び第二ラビリンス壁６４に沿って鉛直方向下側に流すことができる。
【００６２】
また、本体部４０における第一ラビリンス壁６２の外側には、空間部５６と外部とを連通する複数の水抜き孔７２が形成されている。この複数の水抜き孔７２のうち、ブラシレスモータ１０の設置対象への取付状態において鉛直方向下側に位置される水抜き孔７２は、図１７に示されるように、シュラウド８２に形成された開放部８８により開放されている。従って、本体部４０及び端子ケース２４によって形成される空間部５６に浸入したが、ラビリンス構造７０によりモータ内部への浸入が阻止された水滴Ｗを、この鉛直方向下側に位置する水抜き孔７２を通じて外部に排出することができる。
【００６３】
また、図８，図１１等に示されるように、この複数の水抜き孔７２は、第一ラビリンス壁６２を囲うように少なくともロータシャフト３８を中心とする１８０度以上の範囲に複数形成されている。従って、ブラシレスモータ１０の搭載角度が変更された場合（例えば、上述の９０度回転位置や６０度回転位置に変更された場合）でも、複数の水抜き孔７２のうち鉛直方向下側に位置する水抜き孔７２を通じて水滴を外部に排出することができる。
【００６４】
また、複数の水抜き孔７２のうち残余の水抜き孔７２（鉛直方向下側に位置する水抜き孔７２以外の水抜き孔７２）は、シュラウド８２に形成された閉塞部９０によって閉塞されている（図１６も参照）。従って、この水抜き孔７２を通じて水滴が浸入することを抑制することができる。
【００６５】
また、上述のように、本実施形態に係るブラシレスモータ装置８０の設置方法によれば、複数のシュラウド８２（図１３〜図１５参照）を用意するので、ブラシレスモータ１０の搭載角度を変更する場合でも、ブラシレスモータ１０自体の構造の変更が不要である。これにより、コストアップを抑制することができる。
【００６６】
つまり、ブラシレスモータ１０の搭載角度の変更に応じて、その都度、水抜き孔７２が鉛直方向上側に位置しないように水抜き孔７２の位置を変更する場合には、ブラシレスモータ１０自体の構造の変更が必要になり、コストアップになるが、本実施形態によれば、ブラシレスモータ１０の構造の変更が不要であるので、コストアップを抑制することができる。
【００６７】
次に、本発明の一実施形態の変形例について説明する。
【００６８】
上記実施形態において、外側の第一ラビリンス壁６２は、センターピース２０の本体部４０から端子ケース２４側に向けて立設され、内側の第二ラビリンス壁６４は、端子ケース２４から本体部４０側に向けて立設されていた。しかしながら、外側の第一ラビリンス壁６２は、端子ケース２４から本体部４０側に向けて立設され、内側の第二ラビリンス壁６４は、本体部４０から端子ケース２４側に向けて立設されていても良い。
【００６９】
また、上記実施形態において、ロータシャフト３８は、センターピース２０に不能に固定され、ロータ１８は、ロータシャフト３８に対して回転可能に支持されていた。しかしながら、ロータシャフト３８は、センターピース２０に回転可能に支持され、ロータ１８は、ロータシャフト３８に対して一体回転可能に固定されていても良い。
【００７０】
また、上記実施形態において、第一ラビリンス壁６２及び第二ラビリンス壁６４は、ステータ１６の周方向に沿って概略Ｃ字状に形成されていた。しかしながら、第一ラビリンス壁６２及び第二ラビリンス壁６４は、ステータ１６の周方向に沿って環状に形成されていても良い。
【００７１】
また、ブラシレスモータ１０の搭載角度は、一例として、正位置（０度）、９０度、６０度とされていたが、その他の角度とされても良い。
【００７２】
以上、本発明の一実施形態について説明したが、本発明は、上記に限定されるものでなく、上記以外にも、その主旨を逸脱しない範囲内において種々変形して実施可能であることは勿論である。
【符号の説明】
【００７３】
１０…ブラシレスモータ、１２…モータ部、１４…駆動回路部、１６…ステータ、１８…ロータ、２０…センターピース（モータホルダの一例）、２２…蓋部材、２４…端子ケース、２６…コア、２８…巻線、３０…ロータハウジング、３２…ロータマグネット、３４…軸受収容部、３６…軸受、３８…ロータシャフト、４０…本体部、４２…保持部、４４…筒状部、４６…被圧入部、４８，５０…冷却孔、５２…底部、５４…側壁部、５６…空間部、５８…端子部、６０…巻線端末部、６２…第一ラビリンス壁、６４…第二ラビリンス壁、６６…外周部、６８…周壁部、７０…ラビリンス構造、７２…水抜き孔、８０…ブラシレスモータ装置、８２…シュラウド、８４…切欠部、８６…装着部、８８…開放部、９０…閉塞部
【図１】
2015050817.tif 000003
【図２】
2015050817.tif 000004
【図３】
2015050817.tif 000005
【図４】
2015050817.tif 000006
【図５】
2015050817.tif 000007
【図６】
2015050817.tif 000008
【図７】
2015050817.tif 000009
【図８】
2015050817.tif 000010
【図９】
2015050817.tif 000011
【図１０】
2015050817.tif 000012
【図１１】
2015050817.tif 000013
【図１２】
2015050817.tif 000014
【図１３】
2015050817.tif 000015
【図１４】
2015050817.tif 000016
【図１５】
2015050817.tif 000017
【図１６】
2015050817.tif 000018
【図１７】
2015050817.tif 000019